(57)【特許請求の範囲】
【請求項１】
複数枚の紙幣を受け入れて１枚ずつ繰り込むホッパ部と、このホッパ部から繰り込まれた紙幣の金種等を識別する識別部と、入金すべき紙幣を収納する収納庫と、前記識別部を通過した紙幣を機体内に一時集積するとともに収納指令時には前記収納庫への収納を可能とし、返却指令時には機体外から取り出しを可能とする一時保留部と、前記識別部を通過した紙幣を機体外から取り出し可能に集積するスタッカ部と、前記ホッパ部、識別部、一時保留部、スタッカ部の各部間で紙幣の搬送および分岐を行う搬送分岐手段と、前記ホッパ部に投入された紙幣を前記収納庫へ収納する入金モードかホッパ部に投入された紙幣を指定金種の指定枚数ごとに区分けするバッチモードかを選択指定するモード指定手段と、このモード指定手段によりバッチモードが指定されたときに区分けする紙幣の金種および枚数を指定する金種枚数指定手段と、前記モード指定手段により入金モードが指定されているときは入金可能な紙幣を前記一時保留部へ集積させるとともに識別不能なリジェクト紙幣を前記スタッカ部へ集積させ、前記バッチモードが指定されているときは指定金種の紙幣を前記スタッカ部へ集積させるとともに指定外金種の紙幣および識別不能なリジェクト紙幣を前記一時保留部へ集積させるよう前記搬送分岐手段を制御する制御部とを具有することを特徴とする紙幣入金整理機。
【請求項２】
前記スタッカ部が第１スタッカ部と第２スタッカ部との２つのスタッカ部で構成され、前記金種枚数指定手段は２種の金種を指定し得るように構成されている請求項１記載の紙幣入金整理機。
【請求項３】
前記金種枚数指定手段により同一金種が２つ指定されたとき前記第１スタッカ部および第２スタッカ部がそれぞれ設定枚数になるごとに各スタッカ部への搬送路を切り換えるようにされている請求項２記載の紙幣入金整理機。
【発明の詳細な説明】
【０００１】
【発明の属する技術分野】
本発明は、売上金等の現金を入金する入金機に係り、特に金種混合状態の紙幣を金種別に所定枚数ずつに区分けして整理するバッチ処理機能を有する紙幣入金整理機に関する。
【０００２】
【従来の技術】
スーパーマーケット等の大型小売店の出納室や、タクシー会社の事務所などにおいては、レジ係や運転手等の担当者が自身による操作によって売上金を入金処理する貨幣入金機が設置されている。
【０００３】
上記のような貨幣入金機は、紙幣の入金処理を行う紙幣処理部と、硬貨の入金処理を行う硬貨処理部と、入金処理に必要なデータや指令の入力あるいはＩＤカードのデータを読み取る操作部と、操作ガイダンスや計数結果等を表示する表示部と、担当者別の入金データを記憶または外部へ転送するデータ処理部とを備えている。
【０００４】
前記処理部のうち紙幣処理部についてみると、図６（Ａ）に略示するように、機体１の上方部に紙幣を投入する入金ホッパ２が設けられ、この入金ホッパ２に投入された紙幣を１枚ずつ繰り込んで搬送する搬送路３の途中に紙幣の金種等を識別する識別部４が配設され、この識別部４の下流側に入金可能な紙幣を一時保留する一時保留部５と入金不可の紙幣を返却するリジェクト口６とが配設されていて分岐部７の切り換えにより紙幣をいずれかに送るようになっている。そして上記一時保留部５の下方には入金承認がなされたとき一時保留紙幣を収納する収納庫８が配設されており、入金処理時には図６（Ａ）のようにして使用される。前記一時保留部５は機体１に設けられた開閉扉９により機体１の外部とは遮蔽されており、前記リジェクト口６は機体１外に開放されている。
【０００５】
一方、上記の貨幣入金機では、出納係員が金種混合状態で収納庫８に一括収納されている紙幣を金種別に所定枚数ずつに区分けして整理する際に使用するバッチ処理機能を備えている。このバッチ処理時には、図６（Ｂ）に示すように、整理したい金種とその枚数を指定し、金種混合状態の紙幣を入金ホッパ２にセットしてスタートボタンを押すとその紙幣が１枚ずつ繰り込まれて識別部４により金種が識別され、指定されている金種の紙幣は一時保留部５に集積され、指定されていない金種の紙幣と識別できなかったリジェクト紙幣はリジェクト口６へ返却される。
【０００６】
指定金種紙幣が設定枚数集積されるか、あるいはリジェクト口６が満杯になると繰り込みが一時停止され、設定枚数に達した一時保留紙幣、あるいは満杯になったリジェクト口６の紙幣を取り除くことにより再び繰り込みが開始され、こうして順次区分け整理ができるようになっていた。
【０００７】
【発明が解決しようとする課題】
しかるに上記従来の機械では、バッチ処理において指定金種を一時保留部５に集積させるようになっているため、所定枚数に達した指定金種を取り出す際にその都度一時保留部５の開閉扉９を開けなければならず、そのため取り出し操作がきわめて面倒であるという問題点があった。
【０００８】
また通常一時保留部５は１回に入金される紙幣をすべて一時保留し得るように容量が大きく設定されているのに対し、リジェクト口６は入金時に生じるリジェクト紙幣（識別不能紙幣）が発生する可能性が少ないことからその容量は比較的小さく設定されている。そのためバッチ処理を行った場合、指定金種紙幣が所定枚数に達する前にリジェクト口６が満杯状態になってしまって繰り込みが一時停止し、これによりバッチ処理がスムーズに行えないという問題点があった。
【０００９】
さらに上記従来の機械では１金種ずつしかバッチ処理を行うことができず、例えば万円、五千円、千円の３金種の混合紙幣を整理するとき、仮にリジェクト紙幣が１枚もなかったとしても最低２回はバッチ処理を行わなければならない。すなわち最初に万円紙幣を指定すると万円紙幣のみが所定枚数ずつ区分けして取り出すことができ、五千円と千円紙幣は混合状態となる。そして２回目で五千円を指定すると五千円紙幣が所定枚数ずつ区分けして取り出せ、千円紙幣だけが残ることになって金種別に分類することはできるが、操作回数が多いため整理作業が著しく面倒であるという問題があった。
【００１０】
本発明は上記従来の技術の問題点に着目し、バッチ処理紙幣の取り出しを容易として操作性の向上を図り、迅速な操作を可能とするとともに、指定金種紙幣やリジェクト紙幣が満杯になってバッチ処理作業が中断する事態を減少して処理時間の短縮を図る紙幣入金整理機を提供することを課題としてなされたものである。
【００１１】
【課題を解決するための手段】
上記課題を解決する手段として本発明は、複数枚の紙幣を受け入れて１枚ずつ繰り込むホッパ部と、このホッパ部から繰り込まれた紙幣の金種等を識別する識別部と、入金すべき紙幣を収納する収納庫と、前記識別部を通過した紙幣を機体内に一時集積するとともに収納指令時には前記収納庫への収納を可能とし、返却指令時には機体外から取り出しを可能とする一時保留部と、前記識別部を通過した紙幣を機体外から取り出し可能に集積するスタッカ部と、前記ホッパ部、識別部、一時保留部、スタッカ部の各部間で紙幣の搬送および分岐を行う搬送分岐手段と、前記ホッパ部に投入された紙幣を前記収納庫へ収納する入金モードかホッパ部に投入された紙幣を指定金種の指定枚数ごとに区分けするバッチモードかを選択指定するモード指定手段と、このモード指定手段によりバッチモードが指定されたときに区分けする紙幣の金種および枚数を指定する金種枚数指定手段と、前記モード指定手段により入金モードが指定されているときは入金可能な紙幣を前記一時保留部へ集積させるとともに識別不能なリジェクト紙幣を前記スタッカ部へ集積させ、前記バッチモードが指定されているときは指定金種の紙幣を前記スタッカ部へ集積させるとともに指定外金種の紙幣および識別不能なリジェクト紙幣を前記一時保留部へ集積させるよう前記搬送分岐手段を制御する制御部とを具有することを特徴とする。
【００１２】
前記スタッカ部は第１スタッカ部と第２スタッカ部との２つのスタッカ部で構成することができ、前記金種枚数指定手段を２種の金種を指定し得るように構成すれば２金種の紙幣を同時にバッチ処理することができるので一層処理能率を高めることができる。
【００１３】
【発明の実施の形態】
以下、本発明を図面に示す実施の形態を参照して説明する。
図１は本発明の一実施形態の外観を示し、機体１０内に紙幣処理部１１と硬貨処理部１２とが併設されている場合を示しており、図２（Ａ）に紙幣処理部１１の略示断面図を、図２（Ｂ）に硬貨処理部１２の略示断面図を示している。
【００１４】
すなわち機体１０の前面上方部の傾斜面部１０ａには、本機を操作する担当者のＩＤカードのデータを読み取るカードリーダ１３、その直下位置に入金処理等の各処理に必要なデータや指令を入力するための操作部１４、その下方位置に紙幣入金ホッパ１５がそれぞれ設けられており、機体１０の上面には操作ガイダンスや計数結果等を表示する表示部１６が、また前記操作部１５の側方位置にはレシート発行口１７が設けられている。
【００１５】
前記傾斜面部１０ａの下端に続く平面部１０ｂの左方位置には硬貨入金ホッパ１８が設けられ、機体１０の下方の前面上方部右側には第１スタッカ部１９および第２スタッカ部２０の各取出口１９ａ，２０ａが上下に並設されて開口されている。この取出口１９ａ，２０ａは紙幣の飛び出しを防ぐための舌片状のストッパ１９ｂ，２０ｂが下方に向け回動変位可能に設けられている。
【００１６】
またその下部位置には一時保留部２２の開閉扉２３が、その下部位置には収納庫２４の引出し扉２５がそれぞれ設けられ、前面左側にはリジェクト硬貨返却箱２６と硬貨返却箱２７が上下に位置してそれぞれ抜きとり可能に設けられている。
【００１７】
前記紙幣処理部１１の内部構造は、図２（Ａ）にその概要を示すように、前記紙幣入金ホッパ１５に投入された紙幣を１枚ずつ繰り込む繰り込み手段２８の後流側に、繰り込まれた紙幣の金種等を識別する識別部２９が設けられ、この識別部２９に続いて機体１０の前面側の一時保留部２２へ向けて配設される搬送路３０の途中に切換爪３１を有する分岐部を介して分岐する分岐搬送路３２が設けられ、さらにこの分岐搬送路３２の途中から切換爪３３を有する分岐部を介して２路に分岐されてそれぞれの分岐搬送路３４，３５を通じ前記第１スタッカ部１９と第２スタッカ部２０に紙幣を送り込むようになっている。図示の実施形態ではこれら搬送路および分岐部により本発明でいう搬送分岐手段を構成している。
【００１８】
図２（Ａ）において３６，３７，３８は、一時保留部２２、第１、第２スタッカ部１９，２０へ紙幣を送入する際に紙幣の後端をはたき落して良好に集積させるめの羽根車、Ｓ1 〜Ｓ4 は、紙幣入金ホッパ１５、一時保留部２２、第１、第２スタッカ部１９，２０の紙幣の有無を検知するセンサを示す。
【００１９】
前記硬貨処理部１２は本発明とは直接の関係はないが、その構成は図２（Ｂ）に示すように、硬貨入金ホッパ１８の直下に配設された回転円盤からなる繰り出し部３９、繰り出された硬貨の金種等を識別する識別部４０、硬貨を金種別に分類する分類部４１、分類された硬貨を金種別に一時保留する一時保留部４２、リジェクト硬貨を受け入れるリジェクト箱２６、硬貨を返却する際の硬貨返却箱２７、前記一時保留部４２から収納指令により金種別に収納する硬貨収納庫４３等からなっており、この硬貨収納庫４３は前記紙幣処理部１１の紙幣収納庫２４と共に台車４４により機体１０から引出し可能とされている。
【００２０】
制御部４５は、操作部１４およびカードリーダ１３の操作に基づいて各部を制御し、入金処理およびバッチ処理を行わせるように構成されている。すなわち操作部１４のモード指定手段４６（図１示）により入金モードが指定された場合には、繰り込み手段２８および搬送路３０，３２，３４，３５を駆動制御して紙幣入金ホッパ１５に投入された紙幣を１枚ずつ繰り込んで識別部２９で金種等を識別し、その識別結果に応じて切換爪３１，３３を切り換え制御し、入金可能な紙幣は一時保留部２２へ集積させ、識別不能なリジェクト紙幣は第１（または第２）スタッカ部１９へリジェクト紙幣として集積する。そして操作部１４による入金承認指令操作により一時保留部２２に集積された紙幣を収納庫２４へ収納させる。また操作部１４による返却指令操作により開閉扉２３のロックを解除して一時保留部２２に集積された紙幣を取り出し可能とする。
【００２１】
一方、操作部１４のモード指定手段４６によりバッチモードが指定された場合には、さらに操作部１４の金種枚数指定手段４７によりバッチ処理を行う金種と枚数の指定が可能になり、その指定に基づき繰り込み手段２８および搬送路３０，３２，３４，３５を駆動制御して紙幣入金ホッパ１５に投入された紙幣を１枚ずつ繰り込んで識別部２９で金種等を識別し、その識別結果に応じて切り換え爪３１，３３を切り換え制御し、指定された金種紙幣は第１（または第２）スタッカ部１９へ集積し、指定金種以外の紙幣および識別不能なリジェクト紙幣は一時保留部２２へ集積させる。そして第１（または第２）スタッカ部１９の紙幣が指定枚数に達すると繰り込み手段２８を一旦停止させ、その指定枚数に達した紙幣が取り除かれると繰り込みを再開して順次バッチ処理を可能とする。
【００２２】
なお、入金モード時には硬貨の入金も可能であるが、本発明とは直接関係しないのでここでは紙幣についてのみの説明としている。
【００２３】
図３は本願請求項１記載の発明に対応する形態を模式化して示すもので、単一のリジェクト用スタッカ部（便宜上符号１９で示す）を有する場合である。この場合における入金モードによる入金処理は、図３（Ａ）のように一時保留部２２は入金のための正常な紙幣の一時集積のために用いられ、スタッカ部１９がリジェクト口として使用される。
【００２４】
すなわち通常の入金処理時には、入金しようとする担当者が自己のＩＤカードをカードリーダ１３に通してその担当者のデータを入力する。次いで操作部１４のモード指定手段４６により入金モードを指定するとともに紙幣入金ホッパ１５に入金しようとする紙幣を投入し、操作部１４のスタートボタンを押すと、紙幣入金ホッパ１５に投入された紙幣は繰り込み手段２８により１枚ずつ繰り込まれ、繰り込まれた紙幣は識別部２９を通る間に識別される。その紙幣が正常紙幣と識別されたときは搬送路３０を直進して一時保留部２２へ送入集積され、識別不能な紙幣であるときは、切換爪３１が切り換ってスタッカ部１９へリジェクトされる。
【００２５】
入金金額および紙幣枚数等は表示部１６に表示され、操作部１４の承認ボタンを押せば一時保留部２２内の紙幣は収納庫２４内へ収納される。
【００２６】
所定の金種紙幣を所定枚数ずつに区分けするバッチ処理を行うときは、操作部１４のモード指定手段４６によりバッチモードを指定するとともに金種枚数指定手段４７によりバッチ処理すべき金種およびバッチ枚数を指定し、紙幣を紙幣入金ホッパ１５に投入したうえ操作部１４のスタートボタンを押すと、上記ホッパ１５に投入された紙幣は１枚ずつ繰り込まれて識別部２９により金種の識別および枚数の計数がなされる。
【００２７】
その紙幣が指定された金種紙幣であると識別されたときは切換爪３１が切り換ってスタッカ部１９へ送り込まれ、指定外金種紙幣およびリジェクト紙幣であるときは切換爪３１の切り換りにより一時保留部２２へ送り込まれる。
【００２８】
こうしてスタッカ部１９へ指定枚数のバッチ紙幣が投出されると繰り込みが停止し、これを抜き取って１回のバッチ処理が終了する。このバッチ紙幣が抜き取られると再び繰り込みが開始され、前記と同様にしてスタッカ部１９に次回のバッチ紙幣が投出される。
【００２９】
図１、図２に示した実施形態の場合はスタッカ部が第１スタッカ部１９と第２スタッカ部２０との２つのスタッカ部で構成されているので、図４の図表に示すように『１金種バッチ』と『２金種バッチ』とを選択することができ、また『１金種バッチ』で「１スタッカ」使用と、「２スタッカ」使用との選択を行う。
【００３０】
『１金種バッチ』で「１スタッカ」使用の場合は、第１スタッカ部１９に「指定外金種」の紙幣とリジェクト紙幣を送入し、「指定金種」は第２スタッカ部２０へ送入される。この場合は一時保留部２２は使用されない。
【００３１】
したがって指定された金種の紙幣は第２スタッカ部２０に指定枚数が投出され、この第２スタッカ部２０に投出された指定金種紙幣を機体１０の前面に開口する取出口２０ａから直ちに取り出すことができ、この紙幣が取り出されたことをセンサＳ4 が検知すれば再び紙幣の繰り込みを再開して上記仕分けが行われる。
【００３２】
なおこの実施形態ではスタッカ部が２つ設けられているので、指定外金種の紙幣とリジェクト紙幣とを空いている第１スタッカ部１９へ集積させることにより指定外金種紙幣とリジェクト紙幣とも取り出しやすいようにしており、一時保留部２２は使用していないので本発明には直接該当はしないが、指定外金種紙幣およびリジェクト紙幣の取り出しやすさよりも指定外金種紙幣およびリジェクト紙幣の集積容量を考慮する場合は指定外金種紙幣とリジェクト紙幣の集積先を第１スタッカ部１９から一時保留部２２へ変更することによって容易に対処することができる。
【００３３】
またリジェクト紙幣の集積先はそのまま第１スタッカ部１９とし、指定外金種紙幣の集積先だけを一時保留部２２に変更することも可能である。この場合は、各紙幣の集積先が分割されるので、指定外金種あるいはリジェクト紙幣が満杯状態になって繰り出しが停止してしまうという機会がより軽減される。
【００３４】
『１金種バッチ』で「２スタッカ」使用の場合は、その指定された金種の紙幣が一方のスタッカ部１９（または２０）に指定枚数投出されると切換爪３３が切換って他方のスタッカ部２０（または１９）に指定枚数の指定金種紙幣が投出される。
【００３５】
したがって指定枚数投出された側のスタッカ部から紙幣を抜き取っている間も他方のスタッカ部への投出が継続して行われるので、高能率にバッチ処理を進めることができる。
【００３６】
指定金種以外の紙幣およびリジェクト紙幣は一時保留部２２へ送入される。ここに入った紙幣はバッチ処理の対象外であるので、その取り出しには開閉扉２３を開けて随時取り出せばよい。
【００３７】
『２金種バッチ』の場合は、図５（Ａ）に例示するように第１指定の金種「万」および枚数「１００」を入力し、第２指定の金種「五千」および枚数「２０」を入力する。
【００３８】
これにより第１指定金種の万円紙幣は第２スタッカ部２０へ投出され、第２指定金種の五千円紙幣は第１スタッカ部１９へ投出される。それぞれの指定金種が指定枚数投出されると投出が中断され、その紙幣を取り出すことにより再開してバッチ処理がなされる。
【００３９】
この場合も、指定金種以外の紙幣（この場合は千円紙幣）およびリジェクト紙幣は一時保留部２２へ送入され、その取り出しには開閉扉２３を開けて随時取り出す。
【００４０】
上記指定金種、指定枚数は、表示部１６に図５（Ｂ）のように表示され、バッチ処置の処理中には各指定金種紙幣の端数（計算中の枚数）および完了数（抜き取った回数）が表示される。すなわち端数の位置には現在計数中の枚数が逐次表示され、この枚数が指定枚数に達するとバッチ処理が完了したことになり、一旦繰り込みが停止されるか、あるいは他方への集積が開始される。指定枚数に達しないで計数が終了したときには指定枚数に満たない残数が端数として表示される。そして指定枚数に達した紙幣を抜き取った回数は完了数の位置に表示される。したがってこの場合は、２金種のバッチ処理を２つのスタッカ部１９，２０を用いて同時併行して行うことができる。
【００４１】
【発明の効果】
以上説明したように本発明によれば、紙幣入金機を用いてバッチ処理を行う場合に、バッチ処理すべき紙幣は機体前面に開口するスタッカ部へ投出するのでバッチ紙幣の取り出しが容易であり、操作性が著しく向上する結果、処理操作を迅速に行うことができる。また指定金種以外の紙幣やリジェクト紙幣が満杯になってバッチ処理作業が中断する機会が少なくなり、処理能率を大幅に向上することができる。
【００４２】
請求項２によれば、２金種同時にバッチ処理ができるので、全金種をバッチ処理する場合の処理時間を著しく短縮することができる。
【００４３】
さらに請求項３によれば、１金種バッチ処理時にノンストップで連続的に行うことができ、一層処理速度を高めることができる。
【図面の簡単な説明】
【図１】本発明による紙幣入金整理機の一実施形態を示す外観斜視図。
【図２】（Ａ）は図１における紙幣処理部、（Ｂ）は硬貨処理部の略示断面図。
【図３】（Ａ）は入金処理時、（Ｂ）はバッチ処理時の各部の機能を示す説明図。
【図４】本発明の使用態様を示す図表。
【図５】（Ａ），（Ｂ）は２金種指定時の指定内容および表示状態を示す説明図。
【図６】従来の技術を示し、（Ａ）は入金処理時、（Ｂ）はバッチ処理時の各部の機能を示す説明図。
【符号の説明】
１，１０  機体
２，１５  紙幣入金ホッパ
４，２９  識別部
５，２２  一時保留部
６  リジェクト口
８，２４  収納庫
９，２３  一時保留部の扉
１１  紙幣処理部
１２  硬貨処理部
１４  操作部
１９  第１スタッカ部
２０  第２スタッカ部
【図１】
0003860930.tif 000002
【図２】
0003860930.tif 000003
【図３】
0003860930.tif 000004
【図４】
0003860930.tif 000005
【図５】
0003860930.tif 000006
【図６】
0003860930.tif 000007